(57)【要約】
【課題】安全性の自己診断能力を持ち、記憶機能があり停電後に電源が回復した時、電気器具への通電を行わず、保護措置を取る無電圧電子式保護用遮断装置を提供する。
【解決手段】無電圧電子式保護用遮断装置において、主にケース１、出力端子１１、入力端子１２、活動銅２０、機動離脱棒２１、跳動棒２２、操作レバー２３、離脱棒３１、スプリング３２、鍵棒軸４１、鍵棒４２、スプリング４３、可動鉄芯４４、磁石コイル４５、スプリング４６、固定鉄芯４７、ＣＰＵ５、電源供給装置５１、調整塊５２、シリコン可変整流器５３により構成する。電源が回復した時、回路７から磁石コイル４５に通電が行われ、可動鉄芯４４は、固定鉄芯４７に吸着し、鍵棒４２の頭端部は、離脱棒３１の窪み３１０に嵌入することができず、前記活動銅２０は、入力端子１２と接触せず、そのため、入力端子１２と出力端子１１は不通になり、安全保護が行われる。
【選択図】図１
0003100607.tif 000002
【実用新案登録請求の範囲】
【請求項１】
無電圧時、ターミナル電源を即座に切断することにより、保護を行い、停電後、電源が回復した時、電気器具への通電を行わないことにより、電気器具の使用上の安全性を保護し、ケース内部の構造に、構造制御とＣＰＵを含む電路安全制御構造を設け、定格電流、過負荷、短絡を検知制御して、電源の切断を連動させる構造にし、ＣＰＵと磁石コイルを連結し、前述の電流の感応出力を制御し、
ケース底部には、それぞれ、出力端子、及び入力端子が設けられており、
入力端子の上方には、活動銅が設けられており、活動銅は、下方に押圧されることにより、入力端子と接触し、
活動銅の上方には機動離脱棒が設けられており、活動銅と連動し、
該機動離脱棒は跳動棒と連結されており、該跳動棒と操作レバーは連結されており、該操作レバーを右に倒すことにより、跳動棒、及び機動離脱棒は共に下方に滑り、活動銅が機動離脱棒に押圧され入力端子に接触し、
離脱軸上には離脱棒が設けられており、離脱棒の尾端部には窪みが設けられており、鍵棒と引っ掛かり連結して作動する構造になっており、
前記の窪みの下方にはスプリングが設けられており、離脱棒はスプリングの作用により上下に移動し、
鍵棒軸上には鍵棒が設けられており、鍵棒の尾端部にはスプリングが設けられており、スプリングのもう一端はケースと接続されており、鍵棒は可動鉄芯と連結されており、
可動鉄芯上には磁石コイルが設けられており、前記可動鉄芯の尾端部にはスプリングが設けられており、鍵棒が押圧された時、前記可動鉄芯と磁石コイルは同時に固定鉄芯まで移動して接触し、通電状態を形成することを特徴とする無電圧電子式保護用遮断装置。
【請求項２】
前記ケース内の磁石コイル下方には、ＣＰＵと電源制御装置が設けられており、電気と連結され電源を供給しており、前記ＣＰＵには可調整抵抗が連結されており、定格電流の出力を供給していることを特徴とする請求項１に記載の無電圧電子式保護用遮断装置。
【請求項３】
前記ケース内の磁石コイルは信号を測定し、電流互感器の誘導電流により、過負荷信号がＣＰＵに入力され、ＣＰＵにより測定し演算された後、磁石コイルに出力し通電され、離脱棒は電気が遮断されることを特徴とする請求項１に記載の無電圧電子式保護用遮断装置。
【考案の詳細な説明】
【技術分野】
【０００１】
本考案は、停電後、電源が回復した時、電気器具への通電を行わないことにより、電気器具の使用上の安全性を保護し、無電圧時、ターミナル電源を即座に切断することにより、保護を行う無電圧電子式保護用遮断装置に係わる。
【背景技術】
【０００２】
従来からある熱動電磁式遮断装置は、生産が容易ではなく、その欠点として、故障後、自己診断能力に劣る、補修に不便である、定格電流を調節できない、停電後の記憶能力が無く、開いた状態のままである、過負荷電流を実際の状況に応じて調節できず、それにより、比較的温度変化の大きい場所や、劣悪環境の下での使用ができない、などが挙げられ、前述の欠点により、過負荷が大きくなり過ぎ、発火し、火災を引き起こす可能性がある(特許文献１)。
現在の遮断装置の技術は、電路に過負荷電流や短絡が発生した時、ターミナル電源を切断し、保護を行うもので、しかしながら、例えば冷蔵庫における電流の過負荷からの保護では、末端の電気器具や機器の使用中、突然の停電に度々遭った場合、停電の過程において、即座にそれぞれの電気器具のスイッチをオフにすることができず、復電時、機器の誤作動を招き、それにより重大な事故が起こる可能性がある。
【特許文献１】特許第３０３１６８５号公報
【考案の開示】
【考案が解決しようとする課題】
【０００３】
前記公知構造の欠点を改善するため、本考案は、安全性の自己診断能力を持ち、記憶機能があり、停電後、電源が回復した時、電気器具への通電を行わず、保護措置を取る無電圧電子式保護用遮断装置を提供することを課題とする。
【課題を解決するための手段】
【０００４】
前記課題を解決するために、本考案は、無電圧電子式保護用遮断装置において、停電後に電源が回復した時、電気器具への通電を行わないことにより、電気器具の使用上の安全性を保護し、無電圧時にターミナル電源を即座に切断することにより保護を行い、ケース底部には、それぞれ、出力端子、及び入力端子が設けられており、入力端子の上方には、活動銅が設けられており、活動銅は下方に押圧されることにより入力端子と接触し、活動銅の上方には機動離脱棒が設けられており、活動銅と連動して機動離脱棒は、跳動棒と連結して跳動棒と操作レバーは連結しており、操作レバーを右に倒すことにより、跳動棒、及び機動離脱棒は共に下方に滑り、活動銅が機動離脱棒に押圧され、入力端子に接触し、離脱軸上には離脱棒が設けられており、離脱棒の尾端部には窪みが設けられており、鍵棒と引っ掛かり、連結して作動する構造になっており、前述の窪みの下方には、スプリングが設けられており、離脱棒はスプリングの作用により上下に移動し、鍵棒軸上には、鍵棒が設けられており、鍵棒の尾端部にはスプリングが設けられており、スプリングのもう一端はケースと接続されており、鍵棒は可動鉄芯と連結されており、可動鉄芯上には磁石コイルが設けられており、前記可動鉄芯の尾端部にはスプリングが設けられており、鍵棒が押圧された時に前記可動鉄芯と磁石コイルは同時に固定鉄芯まで移動して接触し、通電状態を形成することを特徴とする無電圧電子式保護用遮断装置である。
【０００５】
すなわち、請求項１の考案は、無電圧時にターミナル電源を即座に切断することにより、保護を行い、停電後、電源が回復した時、電気器具への通電を行わないことにより、電気器具の使用上の安全性を保護し、ケース内部の構造に、構造制御とＣＰＵを含む電路安全制御構造を設け、定格電流、過負荷、短絡を検知制御して、電源の切断を連動させる構造にし、ＣＰＵと磁石コイルを連結し、前述の電流の感応出力を制御し、ケース底部には、それぞれ、出力端子、及び入力端子が設けられており、入力端子の上方には、活動銅が設けられており、活動銅は、下方に押圧されることにより、入力端子と接触し、活動銅の上方には機動離脱棒が設けられており、活動銅と連動し、該機動離脱棒は跳動棒と連結されており、該跳動棒と操作レバーは連結されており、該操作レバーを右に倒すことにより、跳動棒、及び機動離脱棒は共に下方に滑り、活動銅が機動離脱棒に押圧され入力端子に接触し、離脱軸上には離脱棒が設けられており、離脱棒の尾端部には窪みが設けられており、鍵棒と引っ掛かり連結して作動する構造になっており、前記の窪みの下方にはスプリングが設けられており、離脱棒はスプリングの作用により上下に移動し、鍵棒軸上には鍵棒が設けられており、鍵棒の尾端部にはスプリングが設けられており、スプリングのもう一端はケースと接続されており、鍵棒は可動鉄芯と連結されており、可動鉄芯上には磁石コイルが設けられており、前記可動鉄芯の尾端部にはスプリングが設けられており、鍵棒が押圧された時、前記可動鉄芯と磁石コイルは同時に固定鉄芯まで移動して接触し、通電状態を形成することを特徴とする無電圧電子式保護用遮断装置である。
【０００６】
請求項２の考案は、前記ケース内の磁石コイル下方には、ＣＰＵと電源制御装置が設けられており、電気と連結され電源を供給しており、前記ＣＰＵには可調整抵抗が連結されており、定格電流の出力を供給していることを特徴とする請求項１に記載の無電圧電子式保護用遮断装置である。
【０００７】
請求項３の考案は、前記ケース内の磁石コイルは信号を測定し、電流互感器の誘導電流により、過負荷信号がＣＰＵに入力され、ＣＰＵにより測定し演算された後、磁石コイルに出力し通電され、離脱棒は電気が遮断されることを特徴とする請求項１に記載の無電圧電子式保護用遮断装置である。
【考案の効果】
【０００８】
本考案は、停電時に即座にターミナル電源を切断することができ、過負荷電流や短絡からの保護を行うことができるという効果を奏し、また、安全性の自己診断能力と記憶機能があり、停電後、電源が回復した時、電気器具への通電を行わず、保護を行うという効果を奏し、更に、実際の状況に応じて定格電流を調節することができ、補修に便利であるという効果を奏する。
【考案を実施するための最良の形態】
【０００９】
本考案の好適実施例を図に沿って説明すると、図１に示すように、主にケース１、出力端子１１、入力端子１２、活動銅２０、機動離脱棒２１、跳動棒２２、操作レバー２３、離脱棒３１、スプリング３２、鍵棒軸４１、鍵棒４２、スプリング４３、可動鉄芯４４、磁石コイル４５、スプリング４６、固定鉄芯４７、ＣＰＵ５、電源供給装置５１、調整塊５２、シリコン可変整流器５３により構成されている。
【００１０】
主に構造制御と、電路安全制御構造とにより構成されており、構造制御は、ケース１底部には、それぞれ、出力端子１１、及び入力端子１２が設けられており、入力端子１２の上方には、活動銅２０が設けられており、活動銅２０は、下方に押圧されることにより、入力端子１２と接触し、活動銅２０の上方には、機動離脱棒２１が設けられており、活動銅２０と連動している。
機動離脱棒２１は、跳動棒２２と連結しており、跳動棒２２と操作レバー２３は連結しており、操作レバー２３を右に倒すことにより、跳動棒２２、及び機動離脱棒２１は共に下方に滑り、活動銅２０が、機動離脱棒２１に押圧され、入力端子１２に接触し、
離脱軸上３には、離脱棒３１が設けられており、離脱棒３１の端部には、窪み３１０が設けられており、鍵棒４２と引っ掛かり、連結して作動する構造になっており、前述の窪み３１０の下方には、スプリング３２が設けられており、離脱棒３１は、スプリング３２の作用により、上下に移動し、鍵棒軸４１上には、鍵棒４２が設けられており、鍵棒４２の尾端部には、スプリング４３が設けられており、スプリング４３のもう一端は、ケース１と接続されており、鍵棒４２は、可動鉄芯４４と連結されており、可動鉄芯４４上には、磁石コイル４５が設けられており、前記可動鉄芯４４の尾端部には、スプリング４６が設けられており、鍵棒４２が押圧された時、前記可動鉄芯４４と磁石コイル４５は同時に固定鉄芯４７まで移動、接触し、通電状態を形成している。
【００１１】
図２に示すように、磁石コイル４５の電源は回路６から来ており、この時、前記可動鉄芯４４の頭端部と鍵棒４２は接触しており、鍵棒４２の尾端部とスプリング４３の頭端部は連結されており、スプリング３２の尾端部はケース１上に接続されており、前記鍵棒４２は、未だ、離脱棒３１に接触しておらず、全てが静止状態にある。
【００１２】
図３，４に示すように、構造制御と電路安全制御構造は、磁石コイル４５の電源が回路６，７から来ており、入力端子１２と活動棒２０が離れている時は非通電状態であるが、磁石コイル４５は、回路６，７から電気の供給を受け、可動鉄芯４４と固定鉄芯４７は吸着し、可動鉄芯４４の一端は鍵棒４２から離脱し、鍵棒４２の一端は、未だ、離脱棒３１と接触しておらず、離脱棒３１はスプリング３２の反発力を受け、上方に移動し、ゆえに、やはり非通電状態にある。
【００１３】
図５，６に示すように、操作レバー２３を右に倒すと、跳動棒２２、及び機動離脱棒２１は共に下方に滑り、活動銅２０は、機動離脱棒２１に下方に押圧され、入力端子１２と接触し、入力端子１２と出力端子１１は、通電状態を形成する。
図７に示すように、電路の電気が、突然断たれた時、前記入力端子１２と回路６は共に無電圧状態になり、この時、磁石コイル４５は無電状態になり、可動鉄芯４４はスプリング４６の反発力を受け、固定鉄芯４７から分離した状態になり、可動鉄芯４４の頭端部と鍵棒４２の尾端部は接触し、同時に鍵棒４２の尾端部を右に押圧し、鍵棒４２の頭端部を離脱棒３１の窪み３１０から離脱させ、離脱棒３１はスプリング３２により、上方に移動し、離脱棒３１は、離脱軸３上で、左右に揺れ動き、前述の離脱棒３１の窪み３１０は、スプリング３２の上方への反発力を受け、離脱棒３１を左内部に移動させる。
【００１４】
図６，７に示すように、安全保護制御構造は、電源が回復した時、回路７から磁石コイル４５に通電が行われ、可動鉄芯４４は、固定鉄芯４７に吸着し、鍵棒４２の頭端部は離脱棒３１の窪み３１０に嵌入することができず、前記活動銅２０は入力端子１２と接触せず、そのため、入力端子１２と出力端子１１は不通になり、安全保護が行われる。
【００１５】
電力が回復した時、入力端子１２と出力端子１１は非通電状態であるので、使用者が操作レバー２３を右に倒すことにより、跳動棒２２、及び機動離脱棒２１は下方に滑り、活動銅２０は、機動離脱棒２１に下方に押圧され、入力端子１２に接触し、入力端子１２と出力端子１１は、通電状態になる。
【００１６】
定格電流の電路制御構造に関しては、図８に示すように、前述の磁石コイル４５の下方には、ＣＰＵ５と電源制御装置５１が設けられており、電気と連結され電源を供給し、前記ＣＰＵ５には、可調整抵抗５０が連結されており、定格電流の出力を供給しており、ＣＰＵ５によって測定された電源制御装置５１の電源信号は、ＣＰＵ５からシリコン可変整流器５３に伝わり、磁石コイル４５に安定した定格電流を発生させ調整を行う。
【００１７】
本考案のもう一つの優れている点は、過負荷、短絡からの保護であり、過負荷、短絡が発生した時、電流互換機が電流を感応し、過負荷信号をＣＰＵ５に入力し、ＣＰＵ５により、測定演算が行われ、磁石コイル４５に出力、通電をし、離脱棒３１の断電を行い、過負荷、短絡からの保護を行う効果がある点である。
【図面の簡単な説明】
【００１８】
【図１】本考案の実施例の未通電の状態を示す図である。
【図２】本考案の実施例の可動鉄芯と鍵棒の静止状態を示す図である。
【図３】本考案の実施例の磁石コイルの通電状態を示す図である。
【図４】本考案の実施例の可動鉄芯と固定鉄芯が吸着し合った様子を示す図である。
【図５】本考案の実施例の操作レバーを右に倒し、活動銅を入力端子に接触させる動作を示す図である。
【図６】本考案の実施例の通電の状態を示す図である。
【図７】本考案の実施例の停電状態における磁石コイルが未作動の状態を示す図である。
【図８】本考案の実施例の電路制御図である。
【符号の説明】
【００１９】
１      ケース
１１    出力端子
１２    入力端子
２０    活動銅
２１    機動離脱棒
２２    跳動棒
２３    操作レバー
３      離脱軸
３１    離脱棒
３１０  窪み
３２    スプリング
４１    鍵棒軸
４２    鍵棒
４３    スプリング
４４    可動鉄芯
４５    磁石コイル
４６    スプリング
４７    固定鉄芯
５      ＣＰＵ
５１    電源供給装置
５２    調整塊
５３    シリコン可変整流器
６      回路
７      回路
【図１】
0003100607.tif 000003
【図２】
0003100607.tif 000004
【図３】
0003100607.tif 000005
【図４】
0003100607.tif 000006
【図５】
0003100607.tif 000007
【図６】
0003100607.tif 000008
【図７】
0003100607.tif 000009
【図８】
0003100607.tif 000010